(57)【要約】【課題】移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随する。【解決手段】移動局装置は、基地局装置から受信する信号に基づいて複数のチャネルの受信品質を測定する受信品質測定部１１１と、受信品質測定部１１１が異なる時間に測定した受信品質の関係を計算する受信品質情報測定部と、受信品質測定部１１１で測定した受信品質情報および受信品質の関係を示す情報を基地局装置に送信する無線送信部１０５とを備え、基地局装置は、上記受信品質情報と受信品質の関係を示す情報に基づいて移動局装置に送信する信号について適応変調符号化の制御を行なう変調符号制御部２０９と、適応変調符号化の制御を行なった信号を移動局装置に送信する無線送信部２０５と、を備える。【選択図】図１
2009017075.tif 000002
【特許請求の範囲】
【請求項１】
移動局装置と基地局装置とを備える移動通信システムであって、
前記移動局装置は、
前記基地局装置から受信する信号に基づいて複数のチャネルの受信品質を測定する受信品質測定部と、
前記受信品質測定部が異なる時間に測定した受信品質の関係を計算する受信品質情報測定部と、
前記受信品質測定部で測定した受信品質情報および前記受信品質の関係を示す情報を前記基地局装置に送信する受信品質情報送信部と、を備え、
前記基地局装置は、
前記受信品質情報と前記受信品質の関係を示す情報に基づいて前記移動局装置に送信する信号について適応変調符号化の制御を行なう変調符号制御部と、
前記変調符号制御部で適応変調符号化の制御を行なった信号を前記移動局装置に送信する信号送信部と、を備えることを特徴とする移動通信システム。
【請求項２】
移動局装置と基地局装置とを備える移動通信システムであって、
前記移動局装置は、
前記基地局装置から受信する信号に基づいて複数のチャネルの受信品質を測定する受信品質測定部と、
前記受信品質測定部が異なる時間に測定した受信品質に基づいて受信品質の関係を示す相関値を計算する相関値計算部と、
前記受信品質測定部で測定した受信品質情報と前記相関値とを前記基地局装置に送信する受信品質情報送信部とを備え、
前記基地局装置は、
前記受信品質情報と前記相関値とに基づいて前記移動局装置に送信する信号について適応変調符号化の制御を行なう変調符号制御部と、
前記変調符号制御部で適応変調符号化の制御を行なった信号を前記移動局装置に送信する信号送信部と、を備えることを特徴とする移動通信システム。
【請求項３】
移動局装置と基地局装置とを備える移動通信システムであって、
前記移動局装置は、
前記基地局装置から受信する信号に基づいて複数のチャネルの受信品質を測定する受信品質測定部と、
前記受信品質測定部が異なる時間に測定した受信品質に基づいて受信品質の関係を示す分散値を計算する分散値計算部と、
前記受信品質測定部で測定した受信品質情報と前記分散値とを前記基地局装置に送信する受信品質情報送信部と、を備え、
前記基地局装置は、
前記受信品質情報と前記分散値とに基づいて前記移動局装置に送信する信号について適応変調符号化の制御を行なう変調符号制御部と、
前記変調符号制御部で適応変調符号化の制御を行なった信号を前記移動局装置に送信する信号送信部と、を備えることを特徴とする移動通信システム。
【請求項４】
移動局装置と通信する基地局装置であって、
前記移動局装置で異なる時間に測定された複数のチャネルの受信品質情報と、前記受信品質情報の関係を示す情報とに基づいて前記移動局装置に送信する信号について適応変調符号化の制御を行なう変調符号制御部と、
前記変調符号制御部で適応変調符号化を行なった信号を前記移動局装置に送信する信号送信部と、を備えることを特徴とする基地局装置。
【請求項５】
移動局装置と基地局装置とを用いた移動通信方法であって、
前記移動局装置は、
前記基地局装置から受信する信号に基づいて複数のチャネルの受信品質を測定する受信品質測定過程と、
前記受信品質測定過程で異なる時間に測定した受信品質の関係を計算する受信品質情報測定過程と、
前記受信品質測定過程で測定した受信品質情報と前記受信品質の関係を示す情報とを前記基地局装置に送信する受信品質情報送信過程とを実行し、
前記基地局装置は、
前記受信品質情報と前記受信品質の関係を示す情報とに基づいて、前記移動局装置に送信する信号について適応変調符号化の制御を行なう変調符号制御過程と、
前記変調符号制御過程で適応変調符号化の制御を行なった信号を前記移動局装置に送信する信号送信過程と、を実行することを特徴とする移動通信方法。
【発明の詳細な説明】
【技術分野】
【０００１】
本発明は、受信品質を測定、送信する移動通信システム、基地局装置および移動通信方法に関する。
【背景技術】
【０００２】
現在、移動通信システムにおいてはデータ通信の需要が高まっており、それに伴う通信データの増加に対応した、高い周波数利用効率が得られる様々な技術が提案されている。周波数利用効率を高める技術の１つにＯＦＤＭＡ（Orthogonal Frequency Division Multiple Access：直交周波数分割多元接続）がある。このＯＦＤＭＡは、セルで構成される通信エリアにおいて、すべてのセルで同じ周波数を用いて通信する際の変調方式の技術に関するものであり、高速なデータ通信を実現することができる。
【０００３】
ＯＦＤＭＡシステムにおける送信パケットのスケジューリングでは、すべてのサブキャリアにおける下り回線状態の受信品質を示す情報であるＣＱＩ（Channel Quality Indicator）を移動局装置が基地局装置に送信し、基地局装置は各移動局装置から送信された全てのサブキャリアのＣＱＩに基づいて、パケットのスケジューリングを行なうという方法が知られている（例えば、非特許文献１参照）。
【０００４】
また、複数のサブキャリアを用いるＯＦＤＭ（Orthogonal Frequency Division Multiplexing：直交波周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は送信された情報に基づいて各移動局装置に割り振るサブキャリアを決定するという技術も知られている（例えば、特許文献１参照）。
【０００５】
図９は、従来から知られている基地局装置と移動局装置との通信方法について説明するための図である。図９に示す通信方法は、例えば、非特許文献２に開示されている。図９に示すように、基地局装置から受信品質測定に用いる下り回線のダウンリンク情報を受信した移動局装置は、そのダウンリンク情報に基づいて各チャネルの受信品質を測定し、伝搬路のチャネルプロファイルを作成する。
【０００６】
移動局装置が作成したチャネルプロファイルは、受信品質情報として、移動局装置から基地局装置に送信される。基地局装置は、その受信品質情報に基づいて、基地局装置から移動局装置に対して送信するダウンリンク情報に対して、適応変調符号化や周波数選択スケジューリングの処理を行なう。
【特許文献１】特開２００５−１３０４９１号公報
【非特許文献１】“Ｃｏｍｍｅｎｔｓ  ｏｎ  ｆｒｅｑｕｅｎｃｙ  ｓｃｈｅｄｕｌｉｎｇ  ａｎｄ  ｊｏｉｎｔ  ｐｏｗｅｒ  ａｎｄ  ｒａｔｅ  ｏｐｔｉｍｉｚａｔｉｏｎ  ｆｏｒ  ＯＦＤＭ”、３ＧＰＰ、ＴＳＧ  ＲＡＮ  ＷＧ１  Ｍｅｅｔｉｎｇ  ＃２９、Ｒ−０２−１３２１、２００２年１１月
【非特許文献２】“ＣＱＩ  ｄｅｓｉｇｎ  ａｎｄ  ｉｔｓ  ｉｍｐａｃｔ  ｔｏ  ＤＬ  ｐｅｒｆｏｒｍａｎｃｅ”、３ＧＰＰ、ＴＳＧ  ＲＡＮ  ＷＧ１  Ｍｅｅｔｉｎｇ  ＃４８、Ｒ１−０７１００２、２００７年２月
【非特許文献３】“Ｃｏｍｐｒｅｓｓｅｄ  ＣＱＩ  Ｒｅｐｏｒｔｉｎｇ  Ｓｃｈｅｍｅ”、３ＧＰＰ、ＴＳＧ  ＲＡＮ  ＷＧ１  Ｍｅｅｔｉｎｇ  ＃４８、Ｒ１−０７０８７９、２００７年２月
【発明の開示】
【発明が解決しようとする課題】
【０００７】
しかしながら、従来の技術（図９）において、基地局装置が、移動局装置に対して適切な適応変調符号化や周波数選択スケジューリングを行なうためには、移動局装置がある領域ごとに分割された全てのチャネルについての受信品質情報を基地局装置に対して送信する必要がある。例えば、非特許文献２に記載されている技術においては、２５個に分割されたチャネルのそれぞれについて３２段階（５ビット）に区分される受信品質情報を移動局装置から基地局装置に対して送信する場合、２５個×５ビット＝１２５ビットの情報量の受信品質情報を送信する必要がある。
【０００８】
この点に関して、非特許文献３においては、移動局装置が基地局装置に受信品質情報とその差分情報とを送信することにより、送信する受信品質情報の情報量を削減する手法が提案されている。以下、この手法について、図１０を用いて説明する。
【０００９】
図１０で示すように、時刻ｔ０における周波数ｆ０、ｆ１、…、ｆｎ−１、ｆｎでの受信品質をｘ（ｔ０、ｆ０）、ｘ（ｔ０、ｆ１）、…、ｘ（ｔ０、ｆｎ−１）、ｘ（ｔ０、ｆｎ）、時刻ｔ１における周波数ｆ０、ｆ１、…、ｆｎ−１、ｆｎでの受信品質をｘ（ｔ１、ｆ０）、ｘ（ｔ１、ｆ１）、…、ｘ（ｔ１、ｆｎ−１）、ｘ（ｔ１、ｆｎ）、時刻ｔ２における周波数ｆ０、ｆ１、…、ｆｎ−１、ｆｎでの受信品質をｘ（ｔ２、ｆ０）、ｘ（ｔ２、ｆ１）、…、ｘ（ｔ２、ｆｎ−１）、ｘ（ｔ２、ｆｎ）とするとき、まず移動局装置は、時刻ｔ０における受信品質情報ｘ（ｔ０、ｆ０）、ｘ（ｔ０、ｆ１）、…、ｘ（ｔ０、ｆｎ−１）、ｘ（ｔ０、ｆｎ）を基地局装置に送信する。続いて、時刻ｔ０と時刻ｔ１の受信品質の差分情報、ｘ（ｔ１、ｆ０）−ｘ（ｔ０、ｆ０）、ｘ（ｔ１、ｆ１）−ｘ（ｔ０、ｆ１）、ｘ（ｔ１、ｆ２）−ｘ（ｔ０、ｆ２）…をそれぞれ、例えば、３ビット（８レベル）で送信する。同様にして、時刻ｔ１と時刻ｔ２の受信品質の差分情報ｘ（ｔ２、ｆ０）−ｘ（ｔ１、ｆ０）、ｘ（ｔ２、ｆ１）−ｘ（ｔ１、ｆ１）、ｘ（ｔ２、ｆ２）−ｘ（ｔ１、ｆ２）…をそれぞれ、例えば、３ビット（８レベル）で送信する…というように、移動局装置が、基地局装置に前回送信した受信品質情報に対する差分情報を少ない情報量（ビット）で表現して送信することにより、基地局装置に送信する受信品質情報の情報量を減らそうとするものである。
【００１０】
しかしながら、この手法（図１０）においては、伝搬路のチャネル状態が急激に変化した場合、移動局装置から基地局装置に対して送信する受信品質情報が、実際の伝搬路のチャネル変動に追随できなくなるという問題が発生する。
【００１１】
伝搬路のチャネル状態が急激に変化する、すなわち、基地局装置が送信する信号に施す変調方式、符号化率を大きなレベルで変更しなければならない場合（例えば、変調方式ＱＰＳＫ、符号化率１/３から変調方式１６ＱＡＭ、符号化率８/９に変更しなければならない場合）において、移動局装置からの少ない情報量（例えば３ビット）を持った受信品質情報では、変調方式、符号化率を大きなレベルで変更することができないために、要求される変調方式、符号化率で適応変調符号化を施すことができない。これは、基地局装置で信号に施される適応変調符号化が、実際の伝搬路のチャネル変動に追随できていないことを示している。
【００１２】
また、少ない情報量を持った受信品質情報で、変更できる変調方式、符号化率のレベルを大きくしようとすると、細かな伝搬路のチャネル変動に追随することができなくなる。少ない情報量を持った受信品質情報を、複数回送信することにより、変調方式、符号化率を大きなレベルで変更したとしても、これは、移動局装置から基地局装置に対して送信する受信品質情報の情報量の増加につながることになる。
【００１３】
本発明は、このような問題点に鑑みて為されたものであり、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することができる移動通信システム、基地局装置および移動通信方法を提供することを目的とする。
【課題を解決するための手段】
【００１４】
（１）上記の目的を達成するため、本発明は、以下のような手段を講じた。すなわち、本発明に係る移動通信システムは、移動局装置と基地局装置とを備える移動通信システムであって、前記移動局装置は、前記基地局装置から受信する信号に基づいて複数のチャネルの受信品質を測定する受信品質測定部と、前記受信品質測定部が異なる時間に測定した受信品質の関係を計算する受信品質情報測定部と、前記受信品質測定部で測定した受信品質情報および前記受信品質の関係を示す情報を前記基地局装置に送信する受信品質情報送信部とを備え、前記基地局装置は、前記受信品質情報と前記受信品質の関係を示す情報に基づいて前記移動局装置に送信する信号について適応変調符号化の制御を行なう変調符号制御部と、前記変調符号制御部で適応変調符号化の制御を行なった信号を前記移動局装置に送信する信号送信部と、を備えることを特徴としている。
【００１５】
このように、例えば、基地局装置において、受信品質の関係が所定の関係にある場合（例えば、異なる時間に測定した受信品質の変動が大きい場合）には、変調方式、符号化率を決定するためのステップ幅を大きく変更する一方、受信品質の関係が所定の関係にない場合（例えば、異なる時間に測定した受信品質の変動が小さい場合）には、変調方式、符号化率を決定するためのステップ幅を小さく変更することで、移動局装置で異なる時間に測定された受信品質の関係に応じて、基地局装置が信号に施す変調方式、符号化率を決定することができるので、実際の伝搬路のチャネル変動に追随した適応変調制御を施すことができる。また、移動局装置から受信品質の差分情報と受信品質の関係を示す情報を基地局装置に対して送信するだけで基地局装置において信号に施す変調方式、符号化率が決定されるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【００１６】
（２）また、本発明に係る移動通信システムは、移動局装置と基地局装置とを備える移動通信システムであって、前記移動局装置は、前記基地局装置から受信する信号に基づいて複数のチャネルの受信品質を測定する受信品質測定部と、前記受信品質測定部が異なる時間に測定した受信品質に基づいて受信品質の関係を示す相関値を計算する相関値計算部と、前記受信品質測定部で測定した受信品質情報と前記相関値とを前記基地局装置に送信する受信品質情報送信部とを備え、前記基地局装置は、前記受信品質情報と前記相関値とに基づいて前記移動局装置に送信する信号について適応変調符号化の制御を行なう変調符号制御部と、前記変調符号制御部で適応変調符号化の制御を行なった信号を前記移動局装置に送信する信号送信部と、を備えることを特徴としている。
【００１７】
このように、例えば、基地局装置において、移動局装置が異なる時間に測定した受信品質に基づいて計算した相関値が大きい場合（例えば、移動局装置が静止している場合）には、変調方式、符号化率を決定するためのステップ幅を小さく変更する一方、相関値が小さい場合（例えば、移動局装置が高速で移動している場合）には、変調方式、符号化率を決定するためのステップ幅を大きく変更することができるので、実際の伝搬路のチャネル変動に追随した適応変調制御を施すことができる。また、移動局装置から受信品質の差分情報と相関値（もしくは計算された相関値を示す情報）とを基地局装置に対して送信するだけで基地局装置において信号に施す変調方式、符号化率が決定されるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【００１８】
（３）また、本発明に係る移動通信システムは、移動局装置と基地局装置とを備える移動通信システムであって、前記移動局装置は、前記基地局装置から受信する信号に基づいて複数のチャネルの受信品質を測定する受信品質測定部と、前記受信品質測定部が異なる時間に測定した受信品質に基づいて受信品質の関係を示す分散値を計算する分散値計算部と、前記受信品質測定部で測定した受信品質情報と前記分散値とを前記基地局装置に送信する受信品質情報送信部とを備え、前記基地局装置は、前記受信品質情報と前記分散値とに基づいて前記移動局装置に送信する信号について適応変調符号化の制御を行なう変調符号制御部と、前記変調符号制御部で適応変調符号化の制御を行なった信号を前記移動局装置に送信する信号送信部と、を備えることを特徴としている。
【００１９】
このように、例えば、基地局装置において、移動局装置が異なる時間に測定した受信品質に基づいて計算した分散値が小さい場合（例えば、移動局装置が静止している場合）には、変調方式、符号化率を決定するためのステップ幅を小さく変更する一方、分散値が大きい場合（例えば、移動局装置が高速で移動している場合）には、変調方式、符号化率を決定するためのステップ幅を大きく変更することができるので、実際の伝搬路のチャネル変動に追随した適応変調制御を施すことができる。また、移動局装置から受信品質の差分情報と分散値（もしくは計算された分散値を示す情報）とを基地局装置に対して送信するだけで基地局装置において信号に施す変調方式、符号化率が決定されるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【００２０】
（４）本発明に係る基地局装置は、移動局装置と通信する基地局装置であって、前記移動局装置で異なる時間に測定された複数のチャネルの受信品質情報と、前記受信品質情報の関係を示す情報とに基づいて前記移動局装置に送信する信号について適応変調符号化の制御を行なう変調符号制御部と、前記変調符号制御部で適応変調符号化を行なった信号を前記移動局装置に送信する信号送信部と、を備えることを特徴としている。
【００２１】
このように、移動局装置から送信される受信品質情報と受信品質情報の関係を示す情報に基づいて、信号に施す変調方式、符号化率を決定することから、例えば、受信品質の関係が所定の関係にある場合（例えば、異なる時間に測定した受信品質の変動が大きい場合）には、変調方式、符号化率を決定するためのステップ幅を大きく変更する一方、受信品質の関係が所定の関係にない場合（例えば、異なる時間に測定した受信品質の変動が小さい場合）には、変調方式、符号化率を決定するためのステップ幅を小さく変更することで、実際の伝搬路のチャネル変動に追随した適応変調制御を施すことができる。また、移動局装置から送信された受信品質の差分情報と受信品質の関係を示す情報だけを用いて信号に施す変調方式、符号化率を決定することができるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【００２２】
（５）本発明に係る移動通信方法は、移動局装置と基地局装置とを用いた移動通信方法であって、前記移動局装置は、前記基地局装置から受信する信号に基づいて複数のチャネルの受信品質を測定する受信品質測定過程と、前記受信品質測定過程で異なる時間に測定した受信品質の関係を計算する受信品質情報測定過程と、前記受信品質測定過程で測定した受信品質情報と前記受信品質の関係を示す情報とを前記基地局装置に送信する受信品質情報送信過程とを実行し、前記基地局装置は、前記受信品質情報と前記受信品質の関係を示す情報とに基づいて、前記移動局装置に送信する信号について適応変調符号化の制御を行なう変調符号制御過程と、前記変調符号制御過程で適応変調符号化の制御を行なった信号を前記移動局装置に送信する信号送信過程とを実行することを特徴としている。
【００２３】
このように、例えば、基地局装置において、受信品質の関係が所定の関係にある場合（例えば、異なる時間に測定した受信品質の変動が大きい場合）には、変調方式、符号化率を決定するためのステップ幅を大きく変更する一方、受信品質の関係が所定の関係にない場合（例えば、異なる時間に測定した受信品質の変動が小さい場合）には、変調方式、符号化率を決定するためのステップ幅を小さく変更することで、移動局装置で異なる時間に測定された受信品質の関係に応じて、基地局装置が信号に施す変調方式、符号化率を決定することができるので、実際の伝搬路のチャネル変動に追随した適応変調制御を施すことができる。また、移動局装置から受信品質の差分情報と受信品質の関係を示す情報を基地局装置に対して送信するだけで基地局装置において信号に施す変調方式、符号化率が決定されるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【発明の効果】
【００２４】
本発明によれば、移動局装置で異なる時間に測定された受信品質の関係に応じて、基地局装置で信号に施す変調方式、符号化率を決定するようにしたので、実際の伝搬路のチャネル変動に追随した適応変調制御を施すことができる。また、移動局装置から受信品質の差分情報と受信品質の関係を示す情報を基地局装置に対して送信するだけで基地局装置において信号に施す変調方式、符号化率が決定されるので、移動局装置から基地局装置へ送信する受信品質情報の情報量を減らすことができる。この結果、移動局装置から基地局装置に対して送信する受信品質情報の情報量を小さくしつつ、伝搬路のチャネル変動が大きい場合においても、基地局装置で施される適応変調符号化が、実際の伝搬路のチャネル状態に追随することが可能となる。
【発明を実施するための最良の形態】
【００２５】
以下、本発明の実施形態について、図面を参照しながら説明する。
（第１の実施形態）
まず、本発明の第１の実施形態に係る移動通信システムの構成について説明する。第１の実施形態に係る移動通信システムは、基地局装置と移動局装置とを備えている。図１は、第１の実施形態に係る移動通信システムが有する移動局装置および基地局装置の構成を示す概略ブロック図である。
【００２６】
図１に示すように、移動局装置は、送信バッファ１０１、変調符号化部１０２、マッピング部１０３、逆高速フーリエ変換（IFFT）部１０４、無線送信部（受信品質情報送信部とも称する）１０５、送信制御部１０６、無線受信部１０７、高速フーリエ変換（FFT）部１０８、復調復号化部１０９およびアンテナ１１０を備えている。送信制御部１０６は、受信品質測定部１１１、受信品質情報生成部１１２および相関値計算部１１３を具備している。
【００２７】
移動局装置は、基地局装置から送信されたダウンリンク情報を、無線受信部１０７で受信し、受信した信号をベースバンド信号にダウンコンバートし、アナログ／デジタル変換した後、高速フーリエ変換部１０８にて各サブキャリアを変調シンボルに変換する。高速フーリエ変換部１０８によって変換された変調シンボルは、復調復号化部１０９によって復調および復号化され、受信品質測定部１１１および相関値計算部１１３に出力される。
【００２８】
一方、移動局装置には、上位レイヤから基地局装置に対する送信情報が入力される。この送信情報には、信号の送信先である基地局装置の情報が含まれており、送信バッファ１０１に一時的に保存される。変調符号化部１０２は、送信バッファ１０１から出力される信号に変調処理や誤り訂正符号化処理を施し、符号化ビット系列をマッピング部１０３に出力する。マッピング部１０３は、変調符号化部１０２から出力される符号化ビット系列を各サブキャリア上のシンボル系列にマッピングし、逆高速フーリエ変換部１０４に出力する。
【００２９】
逆高速フーリエ変換部１０４は、マッピング部１０３から出力されるシンボル系列に逆高速フーリエ変換の処理を施し、時系列のベースバンドデジタル信号に変換し、無線送信部１０５に出力する。逆高速フーリエ変換部１０４からの出力信号は、無線送信部１０５においてデジタル／アナログ変換され、送信に適した周波数にアップコンバートされた後に、アンテナ１１０を介して、各基地局装置に送信される。
【００３０】
受信品質測定部１１１は、基地局装置から受信する信号に基づいて、複数のチャネルの受信品質を測定する。なお、本実施形態においては、受信品質測定部１１１は、受信品質として、ＣＩＮＲ（Carrier-to-Interference plus Noise power Ratio：搬送波対干渉波＋雑音電力比）を測定する。
【００３１】
基地局装置は、送信バッファ２０１、変調符号化部２０２、マッピング部２０３、逆高速フーリエ変換（IFFT）部２０４、無線送信部（信号送信部とも称する）２０５、無線受信部２０６、高速フーリエ変換（FFT）部２０７、復調復号化部２０８、変調符号制御部２０９、スケジューラ制御部２１０およびアンテナ２１１を備えている。
【００３２】
基地局装置には、上位レイヤから送信情報（ダウンリンク情報とも称する）が入力される。ダウンリンク情報には、信号の送信先である移動局装置の情報が含まれており、それぞれの移動局装置に送信する信号が、送信バッファ２０１に一時的に保存される。変調符号制御部２０９は、移動局装置から送信される受信品質情報と相関値に基づいて信号に施す変調方式、符号化率を決定し、変調符号化部２０２に出力する。変調符号化部２０２は、変調符号制御部２０９が決定した変調方式および符号化率に基づいて、送信バッファ２０１から出力される信号に対して、変調処理や誤り訂正符号化処理を施し、符号化ビット系列をマッピング部２０３に出力する。
【００３３】
マッピング部２０３は、スケジューラ制御部２１０から出力されるスケジューリング情報に基づいて、変調符号化部２０２から出力される符号化ビット系列を各サブキャリア上のシンボル系列にマッピングし、逆高速フーリエ変換部２０４に出力する。逆高速フーリエ変換部２０４は、マッピング部２０３から出力されるシンボル系列に逆高速フーリエ変換の処理を施し、時系列のベースバンドデジタル信号に変換し、無線送信部２０５に出力する。逆高速フーリエ変換部２０４からの出力信号は、無線送信部２０５においてデジタル／アナログ変換され、送信に適した周波数にアップコンバートされた後に、無線送信部２０５およびアンテナ２１２を介して、各移動局装置に送信される。
【００３４】
一方、基地局装置は、移動局装置から送信された送信信号を、無線受信部２０６で受信する。無線受信部２０６は、受信した信号を、ベースバンド信号へダウンコンバートし、アナログ／デジタル変換する。高速フーリエ変換部２０７は、無線受信部２０６が出力する各サブキャリアを、変調シンボルに変換する。高速フーリエ変換部２０７によって変換された変調シンボルは、復調復号化部２０８によって復調および復号化され、変調符号制御部２０９およびスケジューラ制御部２１０に出力される。
【００３５】
図２は、第１の実施形態に係る移動局装置の受信品質測定部１１１が測定する受信品質について説明するための図である。図２においては、横軸方向に周波数をとっており、縦軸方向に時間をとっており、横軸と縦軸とに直交する方向に受信品質をとっている。図２に示す受信品質は、基地局装置から送信された信号についての移動局装置における受信品質を示している。
【００３６】
図２において、受信品質測定部１１１は、時刻ｔＡで、曲線ｇ１で示される受信品質を測定している。その後、受信品質測定部１１１は、時刻ｔＢで、曲線ｇ２で示される受信品質を測定している。その後、受信品質測定部１１１は、時刻ｔＣで、曲線ｇ３で示される受信品質を測定している。なお、移動局装置の受信品質測定部１１１で測定する受信品質は、時刻ｔおよび周波数ｆの関数として、Ｘ（ｔ，ｆ）と表すことができる。
【００３７】
相関値計算部１１３は、受信品質測定部１１１が異なる時間（例えば、図２における時刻ｔＡと時刻ｔＢ）に測定した受信品質に基づいて受信品質の関係を示す相関値を計算する。具体的に、相関値は以下のようにして計算する。
【００３８】
移動局装置の受信品質測定部１１１で測定された、所定時刻ｔ、所定周波数ｆにおける受信品質Ｘ（ｔ，ｆ）と、所定時刻ｔよりも時刻差Ｔだけ以前の時刻ｔ−Ｔ、所定周波数ｆにおける受信品質Ｘ（ｔ−Ｔ，ｆ）を用いて、相関値計算部１１３は、以下の式（１）により相関値ＲＴ（ｔ）を計算する。
【数１】
2009017075.tif 000003
ここで、式（１）におけるｎは、受信品質の相関値を測定する区間を示している。例えば、受信品質の相関値を測定する区間が５ＴＴＩ（Time Transmission Interval）であるならば、ｎ＝５となる。
【００３９】
また、式（１）におけるＥ（ｔ）、Ｓ（ｔ）は、時刻ｔにおける受信品質Ｘ（ｔ，ｆ）の周波数方向の平均値、標準偏差をそれぞれ示している。平均値Ｅ（ｔ）は、以下の式（２）のように表すことができる。また、標準偏差Ｓ（ｔ）は、以下の式（３）のように表すことができる。
【数２】
2009017075.tif 000004
【数３】
2009017075.tif 000005
【００４０】
さらに、相関値を計算するための受信品質Ｘ（ｔ，ｆ）の測定時間長をＬ（＝ｔＣ−ｔＡ（図２））とすると、相関値ＲＴ（ｔ）を時刻τ近傍で平均化したものは、以下の式（４）で表すことができる。
【数４】
2009017075.tif 000006
ここで、受信品質Ｘ（ｔ，ｆ）の時間方向の変化速度が十分に緩やかであるとすると、ＲＴ，τを測定した時刻τでの受信品質Ｘ（τ，ｆ）と、それより時刻差Ｔだけ後の時刻での受信品質Ｘ（τ＋Ｔ，ｆ）とには、大きい相関値ＲＴ，τがあると推定できる。
【００４１】
なお、上述した式（１）〜式（４）を用いた方法以外の計算方法を用いて相関値を計算してもよい。また、本実施形態においては、受信品質としてＣＩＮＲを用いて相関値を計算している場合について説明しているが、その他の受信品質指標を用いて相関値を計算してもよい。
【００４２】
次に、基地局装置が移動局装置から送信される相関値に基づいて、変調符号制御部２０９によって行なう変調方式、符号化率を決定する方法について説明する。図３は、本発明の第１の実施形態による、基地局装置が移動局装置から送信された相関値に基づいて行なう、変調方式、符号化率を決定する方法について説明するための図である。
【００４３】
基地局装置は、移動局装置が異なる時間に測定した受信品質の相関値の大小に応じて、異なるステップ幅を持ったテーブルを選択し、そのステップ幅で送信する信号に施す変調方式、符号化率を決定するレベルを変更する。具体的には、移動局装置が異なる時間に測定した受信品質の相関値が大きい場合、基地局装置は変調方式、符号化率を小さく変更するステップ幅を持ったテーブルＡを選択し、テーブルＡのステップ幅で送信する信号に施す変調方式、符号化率を決定するレベルを変更する。また、異なる時間に測定した受信品質の相関値が小さい場合、基地局装置は変調方式、符号化率を大きく変更するステップ幅を持ったテーブルＣを選択し、テーブルＣのステップ幅で送信する信号に施す変調方式、符号化率を決定するレベルを変更する。
【００４４】
変調方式、符号化率を小さく変更するステップ幅を持ったテーブルＡとは、移動局装置が、基地局装置に前回送信した受信品質情報（もしくは、時刻ｔ０で送信した受信品質情報）に対する差分情報を、例えば、３ビット（８レベル）で送信したとき、その差分情報３ビット（８レベル）に対して、例えば、−３から＋４までの範囲で１ステップずつのステップ幅で、基地局装置が信号に施す変調方式、符号化率を決定することができるテーブルを示している。
【００４５】
変調方式、符号化率を大きく変更するステップ幅を持ったテーブルＣとは、移動局装置が、基地局装置に前回送信した受信品質情報（もしくは、時刻ｔ０で送信した受信品質情報）に対する差分情報を、例えば、３ビット（８レベル）で送信したとき、その差分情報３ビット（８レベル）に対して、例えば、−１２から＋１６までの範囲で４ステップずつのステップ幅で、基地局装置が信号に施す変調方式、符号化率を決定することができるテーブルを示している。
【００４６】
同様に、図３で示すテーブルＢは、移動局装置が、基地局装置に前回送信した受信品質情報（もしくは時刻ｔ０で送信した受信品質情報）に対する差分情報を、例えば、３ビット（８レベル）で送信したとき、その差分情報３ビット（８レベル）に対して、例えば、−６から＋８までの範囲で２ステップずつの幅で、基地局装置が信号に施す変調方式、符号化率を決定することができるテーブルを示している。
【００４７】
なお、図３においては、移動局装置から送信される差分情報を３ビットで表しているが、受信品質の差分情報は何ビットで表されてももちろんよい。また、３ビット（８レベル）に対応するステップ幅は、どのような値でもよく整数以外の数字でもよい。
【００４８】
図４は、本発明の第１の実施形態による、基地局装置の変調符号制御部２０９が記憶する情報の一例を示す図である。移動局装置が異なる時間に測定した受信品質の相関値を基地局装置に送信し、基地局装置は、その値に基づいて変調方式、符号化率を決定するためのテーブルを選択して、そのテーブルのステップ幅で信号に施す変調方式、符号化率を決定する。基地局装置の変調符号制御部２０９は、移動局装置から送信される相関値（例えば、Ｒ１２以上）とステップ幅を決定するためのテーブル（例えばテーブルＡ）とを対応付けて記憶している。本実施形態では、相関値に、２つの閾値Ｒ１１、Ｒ１２を設定している。なお、ここで、Ｒ１１＜Ｒ１２である。
【００４９】
相関値が所定の閾値Ｒ１２以上である場合には、基地局装置の変調符号制御部２０９は、変調方式、符号化率を決定するためのテーブルとして、テーブルＡを選択する。このテーブルＡとしては、例えば、上記で示したような３ビット（８レベル）の差分情報に対して、−３から＋４までの範囲で１ステップずつの幅を持ったテーブルである。
【００５０】
相関値が所定の閾値Ｒ１１以上であって所定の閾値Ｒ１２未満である場合には、基地局装置の変調符号制御部２０９は、変調方式、符号化率を決定するためのテーブルとして、テーブルＢを選択する。このテーブルＢとしては、例えば、上記で示したような３ビットの差分情報に対して、−６から＋８までの範囲で２ステップずつの幅を持ったテーブルである。
【００５１】
相関値が所定の閾値Ｒ１１未満である場合には、基地局装置の変調符号制御部２０９は、変調方式、符号化率を決定するためのテーブルとして、テーブルＣを選択する。このテーブルＣとしては、例えば、上記で示したような３ビット（８レベル）の差分情報に対して、−１２から＋１６までの範囲で４ステップずつの幅を持ったテーブルである。
【００５２】
上記に示すように、基地局装置は、移動局装置から送信される受信品質の差分情報と、相関値に基づいて選択されたテーブルのステップ幅とから、信号に施す変調方式、符号化率を決定する。これにより、伝搬路のチャネル変動が大きい場合でも、信号に施される適応変調符号化が、実際の伝搬路のチャネル状態に追随することができる。また、受信品質の差分情報と相関値（もしくは計算された相関値を示す情報）だけを送信するために、移動局装置から基地局装置に対して送信する受信品質情報の情報量を小さくすることができる。
【００５３】
図５は、本発明の第１の実施形態による移動通信システムの処理を示すシーケンスチャートである。図５に示すように、基地局装置の無線送信部２０５は、移動局装置に対してアンテナ２１１を介して信号を送信する（Ｓ５０１）。移動局装置の無線受信部１０７は、基地局装置から送信された信号を受信し、受信品質測定部１１１は、その受信した信号に基づいて、複数のチャネルの受信品質を測定する。
【００５４】
そして、移動局装置の相関値計算部１１３は、受信品質測定部１１１が異なる時間（例えば、図２のｔＡとｔＢ）に測定した受信品質（例えば、図２の曲線ｇ１と曲線ｇ２）に基づいて、上述した式（１）〜式（４）を用いて相関値を計算する。ここでは、移動局装置の相関値計算部１１３が、相関値としてＲ１３（ただし、Ｒ１１＜Ｒ１３＜Ｒ１２）を得た場合について説明する。
【００５５】
そして、移動局装置の無線送信部１０５は、基地局装置に前回送信した受信品質情報（もしくは時刻ｔ０で送信した受信品質情報）に対する差分情報と、相関値計算部が計算した相関値Ｒ１３を、基地局装置に対してアンテナを介して送信する（Ｓ５０２）。
【００５６】
基地局装置の無線受信部２０５は、移動局装置が送信した受信品質の差分情報と相関値Ｒ１３の情報（もしくはＲ１３を示す情報）を受信する。次に、基地局装置の変調符号制御部２０９は、移動局装置の相関値計算部１１３が計算した相関値Ｒ１３に応じたテーブルを、予め対応付けて記憶された情報に基づいて選択する。例えば、図３で示したテーブルを使用するならば、ここでは、変調符号制御部２０９は、相関値Ｒ１３に対応付けられているテーブルＢを選択する。
【００５７】
そして、変調符号制御部２０９は、移動局装置から送信された受信品質の差分情報と、テーブルで定められたステップ幅（例えば、図３で示したテーブルを使用するならば、−６から＋８までの範囲で２ステップずつの幅）とで、送信する信号に施す変調方式、符号化率を決定する。基地局装置は、決定した変調方式、符号化率で、信号に適応変調符号化を施して、移動局装置に対してアンテナ２１１を介して送信する（Ｓ５０３）。
【００５８】
図６は、本発明に係る第１の実施形態による効果について説明するための図である。図６（ａ）は、移動局装置が低速移動の際に測定される受信品質の特性を示している。基地局装置は、時刻ｔ１、ｔ２、ｔ３で、移動局装置に対して信号を送信している。図６（ｂ）は、移動局装置が高速移動の際に測定される受信品質の特性を示している。基地局装置は、時刻ｔ４、ｔ５、ｔ６で、移動局装置に対して信号を送信している。
【００５９】
移動局装置の受信品質測定部１１１が測定する受信品質は、基地局装置から移動局装置までの伝搬路の状況によって大きく異なる。このような伝搬路の状況において、移動局装置の相関値計算部１１３は、時刻ｔ１で測定した受信品質情報と、時刻ｔ２で測定した受信品質情報、時刻ｔ２で測定した受信品質情報と、時刻ｔ３で測定した受信品質情報、および、時刻ｔ４で測定した受信品質情報と、時刻ｔ５で測定した受信品質情報、時刻ｔ５で測定した受信品質情報と、時刻ｔ６で測定した受信品質情報の相関値を計算する。なお、相関値計算部１１３が異なる時間に測定した２つの受信品質から相関値を計算するのではなく、ある一定区間に亘って測定した受信品質情報から相関値を計算してもよい。
【００６０】
移動局装置が静止していたり低速で移動したりしている場合、すなわち伝搬路のチャネル変動が小さい場合、移動局装置が測定する受信品質の時間的な変動は小さいため、相関値計算部１１３で算出される相関値は大きな値となる。例えば、移動局装置が、図６（ａ）に示す時刻ｔ１、時刻ｔ２、時刻ｔ３で受信品質を測定した場合は、より大きな相関値が算出される。
【００６１】
この場合、本実施形態においては、移動局装置から送信される受信品質の差分情報と、移動局装置から送信される相関値に基づいて選択された小さなステップ幅を持ったテーブルとから、信号に施す変調方式、符号化率を決定するため、伝搬路のチャネルの変動に追随した、きめ細かな変調方式、符号化率の決定を行なうことができる。
【００６２】
一方、移動局装置が高速で移動している場合、すなわち伝搬路のチャネル変動が大きい場合、移動局装置が測定する受信品質の時間的な変動が大きいため、相関値計算部１１３で算出される相関値は小さな値となる。例えば、移動局装置が、図６（ｂ）に示す時刻ｔ４、時刻ｔ５、時刻ｔ６で受信品質を測定した場合は、より小さな相関値が算出される。
【００６３】
この場合、本実施形態においては、移動局装置から送信される受信品質の差分情報と、移動局装置から送信される相関値に基づいて選択された大きなステップ幅を持ったテーブルから、信号に施す変調方式、符号化率を決定するため、伝搬路の大きなチャネル変動に追随した、変調方式、符号化率の決定を行なうことができる。
【００６４】
なお、上述した実施形態においては、受信品質としてＣＩＮＲを用いる場合について説明したが、これに限定されるものではない。例えば、受信品質として、ＲＳＳＩ（Receive Signal Strength Indication：受信信号強度値）、ＳＮＲ（Signal to Noise power Ratio：信号対雑音電力比）、ＳＩＲ（Signal to Interference power Ratio：信号対干渉電力比）、ＳＩＮＲ（Signal to Interference plus Noise power Ratio：信号対干渉および雑音電力比）、ＣＮＲ（Carrier to Noise power Ratio：搬送波対雑音電力比）、ＣＩＲ（Carrier to Interference power Ratio：搬送波対干渉波電力比）など受信信号電力や搬送波電力に関連して受信品質を示す指標を用いてもよい。また、受信品質としてＢＥＲ（Bit Error Rate：ビット誤り率）、ＰＥＲ（Packet Error Rate：パケット誤り率）、ＢＬＥＲ（Block Error Rate：ブロック誤り率）など受信の成否に関連して受信品質を示す指標受信の成否に関連して受信品質を示す指標などを用いてもよい。
【００６５】
また、本実施形態におけるチャネルは、１つあるいは複数のサブキャリアからなるが、ＭＩＭＯ（Multiple Input Multiple Output）などのＳＤＭＡ（Space Division Multiple Access）においての送信アンテナあるいは固有モードが示す複数のチャネル、あるいは、これらの組み合わせのチャネルなどを利用する移動通信システムに本実施形態を適用しても良い。
【００６６】
（第２の実施形態）
次に、本発明の第２の実施形態による移動通信システムについて説明する。第２の実施形態に係る移動通信システムは、第１の実施形態に係る移動通信システムが、移動局装置が異なる時間に測定した受信品質の相関値に応じて変調方式、符号化率を決定するのに対し、移動局装置が異なる時間に測定した受信品質の分散値に応じて変調方式、符号化率を決定する点で相違する。
【００６７】
なお、第２の実施形態に係る移動通信システムにおいては、基地局装置が、相関値計算部１１３の代わりに分散値計算部１１４を備えている点で第１の実施形態に係る基地局装置と相違している。図７は、第２の実施形態に係る移動通信システムが有する移動局装置および基地局装置の構成を示す概略ブロック図である。なお、図７において、図１と同一の構成については、同一の符号を付与し、その説明を省略する。
【００６８】
第２の実施形態に係る移動局装置において、分散値計算部１１４は以下のようにして分散値を計算する。ここで、移動局装置にて測定された受信品質のある時刻ｔ、ある周波数ｆにおける測定された値をＸ（ｔ，ｆ）とする。このとき、測定された受信品質Ｘ（ｔ，ｆ）の時間方向の分散値は、以下のように求めることができる。
【００６９】
移動局装置が、分散を測定する測定時間長をＬとした時、周波数ｆにおけるＸ（ｔ，ｆ）の時刻τ近傍での分散は以下の式（５）のように表すことができる。
【数５】
2009017075.tif 000007
ここでＥ（ｔ，ｆ）は、区間τ±１／２Ｌ、周波数ｆにおける受信品質Ｘ（ｔ，ｆ）の時間方向の平均値を示し、以下の式（６）で表すことができる。
【数６】
2009017075.tif 000008
【００７０】
さらに、周波数ｆにおける分散Ｖ（τ，ｆ）を周波数方向に平均化したものは、以下の式（７）で表すことができる。
【数７】
2009017075.tif 000009
ここで、分散Ｖ（τ）が小さい場合には、Ｖ（τ）を測定した時刻τでの受信品質Ｘ（τ，ｆ）と、それより時刻差Ｔだけ後の時刻での受信品質Ｘ（τ＋Ｔ，ｆ）とには、強い相関があり、逆に分散値Ｖ（τ）が大きい場合には、測定した受信品質Ｘ（τ，ｆ）から時刻差Ｔ後の受信品質Ｘ（τ＋Ｔ，ｆ）を推定することは困難である。
【００７１】
なお、上述した式（５）〜式（７）を用いた方法以外の分散値の計算方法を用いてもよい。また、本実施形態では、受信品質としてＣＩＮＲを用いて、分散値を計算する場合について示しているが、その他の受信品質指標を用いて分散値を計算してもよい。
【００７２】
基地局装置の変調符号制御部２０９は、移動局装置の受信品質測定部が異なる時間（例えば、図２における時刻ｔＡと時刻ｔＢ）に測定した受信品質の分散値の大小に応じて、異なるステップ幅を持ったテーブルを選択し、そのテーブルのステップ幅で信号に施す変調方式、符号化率を決定する。具体的には、移動局装置が異なる時間に測定した受信品質の分散値が小さい場合、基地局装置は変調方式、符号化率を小さく変更するステップ幅を持ったテーブルＡを選択し、テーブルＡのステップ幅で信号に施す変調方式、符号化率を決定する。移動局装置が異なる時間に測定した受信品質の分散値が大きい場合、基地局装置は変調方式、符号化率を大きく変更するステップ幅を持ったテーブルＣを選択し、テーブルＢのステップ幅で信号に施す変調方式、符号化率を決定する。ここで、テーブルＡ、テーブルＣとは、例えば、相関値の実施例で挙げた図３で示されるテーブルである。
【００７３】
次に、基地局装置の変調符号制御部２０９による、移動局装置によって送信される分散値に基づいた、異なるステップ幅を持ったテーブルの選択方法について説明する。
【００７４】
図８は、本発明の第２の実施形態による、基地局装置の変調符号制御部が記憶する情報の一例を示す図である。移動局装置が異なる時間に測定した受信品質の分散値を基地局装置に送信し、基地局装置は、その値に基づいて変調方式、符号化率を決定するためのテーブルを選択して、そのテーブルのステップ幅で信号に施す変調方式、符号化率を決定する。基地局装置の変調符号制御部２０９は、移動局装置から送信される分散値（例えば、Ｖ１２以上）とステップ幅を決定するためのテーブル（例えばテーブルＣ）とを対応付けて記憶している。本実施形態では、分散値に、２つの閾値Ｖ１１、Ｖ１２を設定している。ここで、Ｖ１１＜Ｖ１２である。
【００７５】
分散値が所定の閾値Ｖ１２以上である場合には、基地局装置の変調符号制御部２０９は、変調方式、符号化率を決定するためのテーブルとして、テーブルＣを選択する。分散値が所定の閾値Ｖ１１以上であって所定の閾値Ｖ１２未満である場合には、基地局装置の変調符号制御部２０９は、変調方式、符号化率を決定するためのテーブルとして、テーブルＢを選択する。分散値が所定の閾値Ｒ１１未満である場合には、基地局装置の変調符号制御部２０９は、変調方式、符号化率を決定するためのテーブルとして、テーブルＡを選択する。ここで、テーブルＡ、テーブルＢ、テーブルＣとは、例えば、相関値の実施形態で挙げた図３で示されるテーブルを示している。
【００７６】
上記に示すように、基地局装置は、移動局装置から送信される受信品質の差分情報と、移動局装置から送信される分散値に基づいて選択されたテーブルから、信号に施す変調方式、符号化率を決定する。これにより、伝搬路のチャネル変動が大きい場合でも、施される適応変調符号化が、実際の伝搬路のチャネル状態に追随することができる。また、受信品質の差分情報と分散値（もしくは計算された分散値を示す情報）だけを送信するために、移動局装置から基地局装置に対して送信する受信品質情報の情報量を小さくすることができる。
【００７７】
本発明の第２の実施形態による移動通信システムの処理を示すシーケンスは、上述した第１の実施形態で示した図５で表されるシーケンスと同様なシーケンスで実現することができる。
【００７８】
なお、以上説明した実施形態において、これらの機能またはこれらの機能の一部を実現するためのプログラムをコンピュータ読み取り可能な記録媒体に記録して、この記録媒体に記録されたプログラムをコンピュータシステムに読み込ませ、実行することにより基地局装置または移動局装置の制御を行なってもよい。なお、ここでいう「コンピュータシステム」とは、ＯＳや周辺機器等のハードウェアを含むものとする。
【００７９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８０】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【００８１】
【図１】本発明の第１の実施形態に係る移動通信システムの基地局装置、移動局装置の構成を示す概略ブロック図である。
【図２】第１の実施形態による移動局装置の受信品質測定部が測定する受信品質について説明するための図である。
【図３】第１の実施形態による信号に施す変調方式、符号化率を決定するためのテーブルの選択について説明した図である。
【図４】第１の実施形態による基地局装置が記憶する情報の一例を示す図である。
【図５】第１の実施形態による移動通信システムの処理を示すシーケンスチャートである。
【図６】第１の実施形態による効果について説明するための図である。
【図７】本発明の第２の実施形態に係る移動通信システムの基地局装置、移動局装置の構成を示す概略ブロック図である。
【図８】第２の実施形態による基地局装置が記憶する情報の一例を示す図である。
【図９】従来の基地局装置と移動局装置との通信方法について説明するための図である。
【図１０】従来の移動局装置における受信品質の測定について説明するための図である。
【符号の説明】
【００８２】
１０１  送信バッファ
１０２  変調符号化部
１０３  マッピング部
１０４  逆高速フーリエ変換（IFFT）部
１０５  無線送信部（受信品質情報送信部）
１０６  送信制御部
１０７  無線受信部
１０８  高速フーリエ変換（FFT）部
１０９  復調復号化部
１１０  アンテナ
１１１  受信品質測定部
１１２  受信品質情報生成部
１１３  相関値計算部
１１４  分散値計算部
２０１  送信バッファ
２０２  変調符号化部
２０３  マッピング部
２０４  逆高速フーリエ変換（IFFT）部
２０５  無線送信部（信号送信部）
２０６  無線受信部
２０７  高速フーリエ変換（FFT）部
２０８  復調復号化部
２０９  変調符号制御部
２１０  スケジューラ制御部
２１１  アンテナ
【図１】
2009017075.tif 000010
【図２】
2009017075.tif 000011
【図３】
2009017075.tif 000012
【図４】
2009017075.tif 000013
【図５】
2009017075.tif 000014
【図６】
2009017075.tif 000015
【図７】
2009017075.tif 000016
【図８】
2009017075.tif 000017
【図９】
2009017075.tif 000018
【図１０】
2009017075.tif 000019